(57)【要約】【課題】薬剤やサプリメント等の比較的小さな収納物を目的に応じて小分けして整理良く収納できるとともに、その説明書や使用法が書かれたパンフレット等を一緒に収納できる包装用袋を提供する。【解決手段】開口部に咬合具を備えた袋本体２の前面側の頂縁２ｃを後面側の頂縁２ｄよりも底部側に配設し、袋本体２の後面に、袋本体２と同一の幅を有し、咬合具４よりも底部側に頂縁３ｂが配置されるポケット形成用シート３ａを重合し、重合した袋本体２とポケット形成用シート３ａの両側部及び底部をシールして袋本体２の後面にポケット３を形成する。袋本体２の頂縁２ｃ，２ｄと、ポケット３の頂縁３ｂとに着色を施した玉縁を形成し、咬合具４及びその周辺部を着色する。袋本体２の底部から咬合具近傍に向けて２本の線状シール５を施し、且つ、線状シール５の開口側端部と咬合具４との間に非シール部分２ｅを設け、袋本体２内を３つの小袋部６に区画した。【選択図】        図１
0003129064.tif 000002
【実用新案登録請求の範囲】
【請求項１】
合成樹脂製の袋本体の開口部に互いに咬合する雌雄爪を備えた帯状の咬合具を備え、該袋本体の前面側の頂縁を後面側の頂縁よりも底部側に配設し、該袋本体の後面に、該袋本体と同一の幅を有し、前記袋本体の咬合具よりも底部側に頂縁が配置される合成樹脂製のポケット形成用シートを重合し、重合した前記袋本体と前記ポケット形成用シートの両側部及び底部をシールして前記袋本体の後面にポケットを形成し、前記袋本体の前面側の頂縁及び後面側の頂縁と、前記ポケットの頂縁とに着色を施した玉縁を形成し、前記咬合具及びその周辺部を着色するとともに、前記袋本体の底部から前記咬合具近傍に向けて１本以上の線状シールを施し、且つ、該線状シールの開口側端部と前記咬合具との間に非シール部分を設け、前記袋本体内を複数の小袋部に区画したことを特徴とする包装用袋。
【請求項２】
前記線状シールの開口側端部に、前記線状シールよりも幅広のポイントシール部を設け、前記小袋部の開口を狭くしたことを特徴とする請求項１記載の包装用袋。
【請求項３】
前記線状シールを底部側から開口側に向けて漸次幅広に形成し、前記小袋部の開口を狭くしたことを特徴とする請求項１記載の包装用袋。
【請求項４】
前記袋本体の前面に、前記小袋部に収納する収納物の情報を示す表示部を設けたことを特徴とする請求項１又は３のいずれか１項記載の包装用袋。
【請求項５】
前記ポケットの頂縁に設けた玉縁の色を、前記咬合具とその周辺部及び前記袋体の玉縁の色と異なる色としたことを特徴とする請求項１乃至４のいずれか１項記載の包装用袋。
【考案の詳細な説明】
【技術分野】
【０００１】
本発明は、合成樹脂製の包装用袋に係り、詳しくは、収納物を整理良く収納でき、薬剤やサプリメント等の比較的小さな収納物の収納に適した包装用袋に関する。
【背景技術】
【０００２】
従来、合成樹脂で形成した薬用の包装用袋として、蓋を備えた薬を収納する袋本体と、診察券や処方箋等を収納するポケットを前記袋本体の前面と裏面とに一体に形成したものがある（例えば、特許文献１参照。）。
【０００３】
また、合成樹脂で形成した食品用の包装用袋として、袋本体に袋の底部と直角をなす線状シールを１本以上設け、袋本体を複数の小袋部に区画したものがある（例えば、特許文献２参照。）。
【特許文献１】実開昭５９−７５４５０号公報
【特許文献２】特開平１１−１３００９７号公報
【考案の開示】
【考案が解決しようとする課題】
【０００４】
しかし、上述の特許文献１のものでは、ポケットが設けられていることにより、診察券や処方箋を薬剤と一緒に収納できるものの、袋本体内に複数の薬剤を一緒に収納しなければならないことから、薬剤を種類毎、あるいは処方に応じて整理良く収納することはできなかった。
【０００５】
また、特許文献２のものでは、袋本体を複数の小袋部に区画していることから、目的に応じて袋に収納する食品を小分けすることができるが、例えば食品の調理法や説明書等をまとめて収納することはできなかった。
【０００６】
そこで本考案は、薬剤やサプリメント等の比較的小さな収納物を目的に応じて小分けして整理良く収納することができるとともに、その説明書や使用法が書かれたパンフレット等を一緒に収納できる包装用袋を提供することを目的としている。
【課題を解決するための手段】
【０００７】
上記の目的を達成するため本考案は、合成樹脂製の袋本体の開口部に互いに咬合する雌雄爪を備えた帯状の咬合具を備え、該袋本体の前面側の頂縁を後面側の頂縁よりも底部側に配設し、該袋本体の後面に、該袋本体と同一の幅を有し、前記袋本体の咬合具よりも底部側に頂縁が配置される合成樹脂製のポケット形成用シートを重合し、重合した前記袋本体と前記ポケット形成用シートの両側部及び底部をシールして前記袋本体の後面にポケットを形成し、前記袋本体の前面側の頂縁及び後面側の頂縁と、前記ポケットの頂縁とに着色を施した玉縁を形成し、前記咬合具及びその周辺部を着色するとともに、前記袋本体の底部から前記咬合具近傍に向けて１本以上の線状シールを施し、且つ、該線状シールの開口側端部と前記咬合具との間に非シール部分を設け、前記袋本体内を複数の小袋部に区画したことを特徴とし、前記線状シールの開口側端部に、前記線状シールよりも幅広のポイントシール部を設けたり、前記線状シールを底部側から開口側に向けて漸次幅広に形成し、前記小袋部の開口を狭くすると好適である。また、前記袋本体の前面に、前記小袋部に収納する収納物の情報を示す表示部を設てもよく、前記ポケットの頂縁に設けた玉縁の色を、前記咬合具とその周辺部及び前記袋体の玉縁の色と異なる色としてもよい。
【考案の効果】
【０００８】
本考案は、上述のように袋本体に１本以上の線状シールを施して、袋本体内を複数の小袋部に区画したことから、薬剤やサプリメントのような比較的小さな収納物を、目的や処方に応じて整理良く収納することができ、さらに、袋本体の後面にポケットが形成されることから、薬剤やサプリメントの説明書や処方箋を一緒に収納することができる。また、袋本体の前面側の頂縁と後面側の頂縁とポケットの頂縁とを底部側にずらして配置し、各頂縁に着色を施した玉縁を形成したことにより、袋本体及びポケット形成用シートを透明な合成樹脂で一体的に形成しても、袋本体やポケットの開口部を容易に視認することができ、さらに、袋本体の前面シートと後面シートとを別々に掴みやすく、袋本体を簡単に開けることができる。
【０００９】
また、線状シールの開口側端部と前記咬合具との間に非シール部分を設けたことにより、咬合具を勢い良く開口させることがあっても、小袋部に収納した収納物が開口部から外へ飛び出すことがなく、前記線状シールの開口側端部に、線状シールよりも幅広のポイントシール部を設ければ、収納物が開口部から外へ飛び出すことを確実に防止できる。さらに、袋本体の前面に表示部を設けたことにより、子供や老人でも収納物を的確に把握して取り出すことができる。
【００１０】
これにより、例えば、この包装用袋を病院や薬局で用いられる薬袋や、サプリメントを入れる袋に適用した場合、袋本体の各小袋部に、服用時間や種類等に応じて薬剤やサプリメントを小分けし、ポケットに説明書や処方箋を入れてセットにして収納することができるようになり、利用者が薬剤やサプリメントを誤りなく簡便に服用できるようになる。さらに、外出時や旅行時に薬剤やサプリメントを携帯する際にも、薬剤やサプリメントを誤りなく簡便に服用でき、紛失の虞もない。また、表示部に薬剤やサプリメントの種類や服用時間をボールペンや油性ペン等で書き込んでおけば、幼児や老人でも間違いなく薬剤やサプリメントを服用できる。
【考案を実施するための最良の形態】
【００１１】
以下、本考案の各形態例を図面に基づいて詳しく説明する。図１は本考案の第１形態例を示す包装用袋の正面図、図２は図１のII-II断面図、図３は包装用袋の使用状態を示す正面側斜視図、図４は背面側斜視図である。包装用袋１は、透明な合成樹脂製の袋本体２と、該袋本体２と同一の幅を有するポケット３とを備えたもので、周知の製造方法で前記袋本体２の後面シート２ａの後面に、ポケット形成用シート３ａを重ね、その両側部と底部とをシールすることにより、袋本体２の後面にポケット３が一体形成される。
【００１２】
袋本体２は、開口側の内面に、雌雄咬合型の帯状の着色を施した咬合具４が設けられるとともに、前面シート２ｂの頂縁２ｃが、後面シート２ａの頂縁２ｄよりも袋体底部側となる下方に配設され、該頂縁２ｃ，２ｄには、赤色や青色や白色の着色を施した玉縁がそれぞれ形成されている。
【００１３】
また、袋本体２の底部から咬合具近傍に向けて、後面シート２ａと前面シート２ｂの内面同士を溶着した２本の線状シール５，５が等間隔に施され、且つ、該線状シール５，５の開口側端部と咬合具４との間には、非シール部分２ｅが設けられ、袋本体２内が３つの小袋部６，６，６に区画されている。さらに、各線状シール５の開口側端部には、線状シール５よりも幅広の半円状のポイントシール部５ａが設けられ、小袋部６の開口を狭くしている。また、袋本体２の前面シート２ｂには、各小袋部６，６，６の上部を形成する部分に、ボールペンや油性ペン等で筆記可能なシート素材を用いて矩形の表示部７，７，７がそれぞれ形成されている。
【００１４】
ポケット３は、頂縁３ｂが袋本体２の咬合具４よりも下方に配設され、該頂縁３ｂには、袋本体２の頂縁２ｃ，２ｄと同様に着色を施した玉縁が形成され、その色は、咬合具４や袋本体２の頂縁２ｃ，２ｄに形成された玉縁の色と異なる色で、識別しやすい青色、赤色、黄色、緑色等の色が施される。
【００１５】
本形態例の包装用袋１は、以上のように、袋本体２を３つの小袋部６，６，６に区画したことから、比較的小さな収納物を目的や処方に応じて整理良く収納することができ、袋本体２の後面にはポケット３が形成されることから、収納物の説明書を一緒に収納することができる。
【００１６】
また、袋本体２の頂縁２ｃ，２ｄ及びポケット３の頂縁３ｂに着色を施した玉縁を形成したことにより、これら頂縁２ｃ，２ｄ，３ｂを容易に視認することができ、特にポケット３の頂縁３ｂを目立たせることができる。さらに、袋本体２の前面シート２ｂの頂縁２ｃが、後面シート２ａの頂縁２ｄよりも底部側に配設されていることから、前面シート２ｂと後面シート２ａとを別々に掴みやすく、簡単に袋本体２を開けることができる。
【００１７】
また、各線状シール５の上端と咬合具４との間に非シール部分２ｅを設けるとともに、線状シール５の開口側端部にポイントシール部５ａを設けたことにより、咬合具４を勢い良く開口させることがあっても、各小袋部６に収納した収納物が開口から外へ飛び出すことがない。また、ポイントシール部５ａによって、線状シール５の端部の補強も図られる。
【００１８】
さらに、袋本体２の各小袋部６の上部を形成する部分に筆記可能な表示部７をそれぞれ設けたことにより、収納物を的確に把握して取り出すことができる。
【００１９】
また、各小袋部６に収納された小さな収納物は、咬合具４を開けて、包装用袋１の開口を下に向けて取り出すこともできるが、咬合具４を開けた状態で、包装用袋１を机などの上に載置し、小袋部６の底部側から、収納物を指で開口方向へ押し出すようにして取り出すこともでき、このように取り出せば、小さな収納物を紛失することなく取り出すことができる。
【００２０】
特に、この包装用袋１を病院や薬局で用いられる薬袋や、サプリメントの収納に適用した場合では、図３及び図４に示されるように、例えば、薬剤１０やサプリメントを服用量に応じて小分けして小袋部６に収納するとともに、薬剤１０やサプリメントの服用時間に応じて、表示部７，７，７に朝食後，昼食後，夕食後とそれぞれ記載することにより、薬剤１０やサプリメントを整理良く収納することができる。また、各表示部７への表示の仕方を工夫することにより、子供や老人でも間違いなく所定量の薬剤１０やサプリメントを確実に服用することができる。さらに、ポケット３に薬剤１０やサプリメントの説明書や処方箋１１を一緒に収納することにより、必要に応じて薬剤１０やサプリメントの情報を迅速に確認することができる。また、ポケット３の頂縁３ｂを玉縁に施した色彩により目立たせることができることから、説明書や処方箋１１の出し入れも容易である。
【００２１】
図５乃至図８は本考案の第２形態例〜第５形態例をそれぞれ示すもので、図５は本考案の第２形態例を示す包装用袋の正面図、図６は本考案の第３形態例を示す包装用袋の正面図、図７は本考案の第４形態例を示す包装用袋の正面図、図８は本考案の第５形態例を示す包装用袋の使用状態を示す説明図で、第１形態例と同様の構成要素を示すものには、同一の符号を付して、その詳細な説明は省略する。
【００２２】
図５は本考案の第２形態例を示し、包装用袋２０の袋本体２１に形成する２本の線状シール２２をく字状に形成し、ポイントシール部２２ａを矩形に形成している。これにより、図中、左側に形成される小袋部２３ａ，中央の小袋部２３ｂ，右側に形成される小袋部２３ｃの順に容量が大きくなり、大きさの異なる収納物の収納や、収納する量が異なる場合等にも好適に用いられる。
【００２３】
図６は本考案の第３形態例を示し、包装用袋３０の袋本体３１に形成する２本の線状シール３２を波形に形成し、ポイントシール部３２ａを矩形に形成している。これにより、包装用袋３０の開口を下に向けて小袋部３３から収納物を取り出す際に、小さな収納物が一気に落下することがなく、収納物を紛失することなく取り出すことができる。
【００２４】
図７は本考案の第４形態例を示し、包装用袋４０の袋本体４１に形成する２本の線状シール４２を円弧状に形成し、ポイントシール部４２ａを円弧状に形成しすることもできる。
【００２５】
図８は本考案の第５形態例を示し、包装用袋５０を底の浅い横長に形成し、袋本体５１に形成する３本の線状シール５２を等間隔に形成し、４つの小袋部５３を設けている。これにより、薬剤１０を１日４回、例えば、朝食後、昼食後、夕食後、就寝前に服用する際等に好適に利用でき、また、底が浅いことから、薬剤を取り出しやすい。
【００２６】
なお、本考案は上述の各形態例に限るものではなく、包装用袋のサイズは任意であり、袋本体に形成する線状シールの本数は１本でも良く、また４本以上でも良い。線状シールの開口側端部に設けるポイントシール部の形状も任意であり、また、ポイントシールを設けずに、線状シールを底部側から開口側に向けて漸次幅広に形成し、前記小袋部の開口を狭くしても良く、さらに、ポイントシール部を設けなくても差し支えない。表示部には、収納物の情報を印刷することもでき、シール等を貼り付けても良く、大きさや設ける位置は任意である。また、本考案の包装用袋は、薬剤やサプリメントの収納に用いられるだけではなく、アクセサリーの収納や、外出時や旅行時に携帯する化粧品の収納や、キャンディーやチョコレート等の小さな食品類の収納等、広い用途に用いることができる。
【図面の簡単な説明】
【００２７】
【図１】本考案の第１形態例を示す包装用袋の正面図である。
【図２】図１のII-II断面図である。
【図３】同じく包装用袋の使用状態を示す正面側斜視図である。
【図４】同じく包装用袋の使用状態を示す背面側斜視図である。
【図５】本考案の第２形態例を示す包装用袋の正面図である。
【図６】本考案の第３形態例を示す包装用袋の正面図である。
【図７】本考案の第４形態例を示す包装用袋の正面図である。
【図８】本考案の第５形態例を示す包装用袋の使用状態を示す説明図である。
【符号の説明】
【００２８】
１…包装用袋、２…袋本体、２ａ…後面シート、２ｂ…前面シート、２ｃ、２ｄ…頂縁、２ｅ…非シール部分、３…ポケット、３ａ…ポケット形成用シート、３ｂ…頂縁、４…咬合具、５…線状シール、５ａ…ポイントシール部、６…小袋部、７…表示部、１０…薬剤、１１…処方箋、２０，３０，４０，５０…包装用袋、２１，３１，４１，５１…袋本体、２２，３２，４２，５２…線状シール、２２ａ，３２ａ，４２ａ…ポイントシール部、２３ａ，２３ｂ，２３ｃ，３３，４３，５３…小袋部
【図１】
0003129064.tif 000003
【図２】
0003129064.tif 000004
【図３】
0003129064.tif 000005
【図４】
0003129064.tif 000006
【図５】
0003129064.tif 000007
【図６】
0003129064.tif 000008
【図７】
0003129064.tif 000009
【図８】
0003129064.tif 000010